(57)【要約】      （修正有）【課題】断熱性に優れ、摩擦音が少なく収納や携帯に便利な小型、軽量で寝心地の良い寝袋を提供する。【解決手段】外側が厚さ５〜２００μｍのアルミ箔シートに厚さ０．５〜２０ｍｍのウレタンマットあるいは厚さ０．２〜３ｍｍの布で裏打ち加工された断熱シート１１を上側及び下側シート１２、１３とし、下側シート１３の更に下部に空気で膨らませる事が可能な直径３〜６０ｍｍの半円柱形あるいは円柱形のチューブを設ける。さらに、該チューブに対して外側から１ヶ所又は２ヶ所の注入孔で接続し、上側シート１２の中央部をファスナー１４で開閉することを特徴として寝袋１を形成する。【選択図】図１
0003178477.tif 000002
【実用新案登録請求の範囲】
【請求項１】
外側がアルミ箔シート・内側がウレタンマット等の消音材から成る断熱シートを上側シートとし、チュ−ブと前記断熱シートから構成され、１ヶ所又は2ヶ所以上のチューブの注入孔を有し、ファスナーで開閉することを特徴とする寝袋。
【考案の詳細な説明】
【技術分野】
【０００１】
本考案は寝袋に関する。
【背景技術】
【０００２】
キャンプや避難所などで使用するコンパクトな寝具として、寝袋が多用されている。  
該寝袋は中間に綿や羽毛を挟んで縫い合わせたキルティング布を封筒形に縫製してファスナーを付けた物が広く使われてきたが、使用場所となる地面や床面の影響が直に伝わるため寝心地が悪いという問題点があった。
【０００３】
また、アルミ箔シートの断熱効果と耐水性及び薄さを活かして折畳み寸法を極小型化した封筒形の寝袋が市販されているが、該寝袋はアルミ箔シートの折り曲げや擦れ合う時に生ずる耳障りな音（以下これを摩擦音という。）及び薄さに起因する寝心地の悪さがあり超小型ではあるが従来の寝袋に代替して使用できる物とは考えられなかった。
【０００４】
特許文献１にはキルティング布使用方式の寝心地向上手段として寝袋の下側にウレタンマットやエアーマットを取付ける方式が開示されている。
キルティング布使用の寝袋を前提とする上記方式は、床面からの影響を緩和して寝心地の良い寝袋と為すもので有るが、キルティング布に積層したウレタンマットやエアーマット分の厚み増加により折畳み時の寸法が増加するという問題が生じていた。
【０００５】
特許文献２にはアルミ箔シートにエアーキャップを付けた物が開示されている。
アルミ箔シートにエアーキャップを付けて積層化するこの方式は、エアーキャップの厚みにより折畳み寸法がキルィング布使用品と大差無く、エアーキャップ使用による寝心地の向上と、アルミ箔シートの断熱性と耐水性等を利用した寝袋ではあるが折畳み寸法の小さい寝袋としては知られていない。
【先行技術文献】
【特許文献】
【０００６】
【特許文献１】実顔平４−２４５２８号公報
【特許文献２】実顔平６−６６２７号公報
【考案の概要】
【考案が解決しようとする課題】
【０００７】
本考案は上記事情を考慮して断熱性と寝心地の向上及び小型化を課題とするもので、断熱性に優れ摩擦音が少なく収納や携帯に便利な小型、軽量で寝心地の良い寝袋を提供しようとする。
【課題を解決するための手段】
【０００８】
上記課題を解決するため本考案は断熱シートを、厚さ５〜２００μｍｍのアルミ箔シートに厚さ０．５〜２０ｍｍのウレタンマットあるいは厚さ０．２〜３ｍｍの布等で裏打ち加工して、該アルミ箔シートの断熱特性と裏打ち加工による摩擦音の減少及び吸湿や肌触り感の向上等の特性を備えた物と為し、ファスナーを付けて寝袋に用いる。
さらに、寝袋下側に膨張、収縮する直径３ｍｍ〜６０ｍｍの半円柱形のチューブと注入孔を備えた逆台形に膨張する貯留部を追備して床下面の影響を緩和する緩衝体と為し寝心地の良い寝袋を提供する。
本考案に用いる半円柱形のチューブと注入孔を備えた貯留部は空気や水等の注入物を充満させて緩衝体にすると共に、折畳み時は注入物を排出して占有面積を減らすことにより携帯、収納時の寝袋の小型化に貢献する。
【０００９】
断熱シートの主要断熱材にはアルミ箔シートの使用が好ましいが、公知のアルミ蒸着シートを用いても良い。
断熱シートは、発泡ウレタンフォームや布地で裏打ちする事が好ましいが、これらを積層してもよい。
【００１０】
チューブは直径３ｍｍ〜６０ｍｍの半円柱形で両側に接合部を有することが好ましい。
チューブと貯留部は少なくとも０．０１ｍｍの透明又は半透明のポリエチレンシート等の樹脂シートで作ることが好ましい。
貯留部には、空気等注入物の注入、排出弁（以下、これを吸排弁又は弁という。）を備えた注入孔を設けることが好ましい。
貯留部は、チューブに注入物を万遍無く送り込む為の物だが、注入物充満時には中間の接合部が無い為逆台形に大きく膨張するので空気枕として利用できる。
チューブと貯留部の接地側表面に、透明又は半透明の樹脂シートを貼り足すことが好ましい。
寝袋には、少なくとも１ヶ所にファスナー等を用いた出入口を設けることが好ましい。
【考案の効果】
【００１１】
本考案は、薄くて高い断熱性を有するアルミ箔シートに前記裏打ち加工を施した断熱シートと、伸縮可能な緩衝体となる半円柱形のチューブと貯留部とにより、断熱性に優れ、摩擦音が少なく柔らかい肌触り感を有し、床下面の影響を軽減して寝心地が良く、注入物を排出して緩衝体の面積を減らして折畳めば収納、携帯時の省スペース化効果を有する寝袋に成る。
【考案を実施するための形態】
【実施例】
【００１２】
以下添付図面に従って考案の詳細を説明する。
【実施例１】
【００１３】
図１は本考案寝袋１の全体像を示す斜視図、図２は寝袋１の下面図、図３は寝袋１断面の部分拡大図、図４は図２、Ａ-Ａ´の断面図、図５は折畳み状態を示す斜視図である。
寝袋１は、封筒形に形成した断熱シート１１と吸排弁（図示せず。）を備えた注入孔１６付き貯留部１５aと膨張時半円柱形と成る厚さ６０μｍｍの透明ビニールで形成したチューブ１５及びファスナー１４と紐７によって概略構成される。   
【００１４】
断熱シート１１は、公知のアルミ箔シートに厚さ２ｍｍスポンジ状の発泡ウレタンフォーム１１bで裏打ちしたものである。
本考案は、断熱シート１１が持つアルミ箔シート１１aの断熱性と、裏打ちした発泡ウレタンフォーム１１ｂによる摩擦音の低減や柔らかな肌触り感を生かして寝袋を作る。
さらに、上側１２に入出口となるファスナー１４を設け、下側１３に空気や水等の注入物用の吸排弁（図示せず。）を備えた注入孔付きの貯留部１５aと直径１０ｍｍの半円柱形チューブ１５を設けて緩衝体と為し寝袋の寝心地向上を図ったものである。
【００１５】
寝袋1は、開弁した注入孔１６からポンプを使って空気Ａを注入して、貯留部１５aとチューブ１５に充満させた後、注入孔１６を閉弁して床下緩衝体を完成させれば、断熱シート１１の特徴にチューブ１５と貯留部１５aのエアクッション効果を加えた寝心地の良い寝袋に成る。
【００１６】
寝袋１の折畳みは、注入孔１６の弁を開き、下側１３を上にして両側から所定幅で二つ又は三つ折りにした後、チューブ１５と貯留部１５a内の空気を排出しながらが所定の寸法に畳み巻きして紐７で止める。（図５）
上記により寝袋１は使用時の寝心地が良く、折畳み時は収納場所を取らない携帯や大量保管に適した寝袋に成る。
【実施例２】
【００１７】
実施例２は、断熱シートと貯留部の構造を変えたものである。
図６は実施例２、寝袋２の下面図、図７は寝袋２断面の部分拡大図、図８は図６Ｂ−Ｂ´の断面図である。
寝袋２は、封筒形に形成した断熱シート２１と、ファスナー１４と吸排弁（図示せず。）を備えた注入孔２６a、２６b、２６c付きの貯留部２５a、２５b、２５cとチューブ２５及び紐７によって概略構成される。
【００１８】
寝袋２の断熱シート２１は、前記アルミ箔シート２１aの裏面に毛足を含む全厚１mmの起毛布２１bで裏打ちしたもので、アルミ箔シート２１aの優れた断熱特性と、裏打ちによる摩擦音の低減及び起毛布２１b特有の柔らかい肌触りと吸湿性を兼備する。
断熱シートの下側２３に設ける貯留部２５b、２５cは注入孔２６b、２６cの弁制御によりチューブ１５内に注入する空気や水等を一方向に流し易くするものである。
【００１９】
寝袋２は、注入孔１６aを開弁すると共に注入孔２６b、２６cを適宜開弁して、水Ｗを注入孔２６b、２６cから溢れ出る位まで注入した後、全ての注入孔２６a、２６b、２６cを閉弁すれば床下緩衝体になり、さらに水Ｗの注入量の調節次第で簡易ウォーターベッドの様な床下緩衝体になり高い断熱性と柔らかい肌触り感を有する寝袋に成る。
【００２０】
寝袋２の折畳みは、注入孔２６aを開弁した後、実施例１と同様に折りたたみ、貯留部２５b、２５cからチューブ２５と貯留部２５a内の水Ｗを順に排出しながらが所定の長さに畳み巻きして紐７で止める。（図５）
上記により寝袋２は、前記断熱シートの特徴を有し、折畳み時は収納場所を取らない携帯や大量保管に適した寝袋に成る。
上述した寝袋１と寝袋２は、例えば災害時の非難所で使用する場合、注入物の空気Ａや水Ｗの量を調節して折畳めば座布団になり、さらに壁側等背当てが有れば折り曲げてソファーの様に使うことができる。
【図面の簡単な説明】
【００２１】
【図１】実施例１、寝袋１の全体像を示す斜視図。
【図２】寝袋１の下面図。
【図３】寝袋１断面の部分拡大図
【図４】図２Ａ−Ａ´の断面図
【図５】寝袋の折畳み状態を示す斜視図。
【図６】実施例２、寝袋２の下面図。
【図７】寝袋２断面の部分拡大図。
【図８】図６Ｂ−Ｂ´の断面図。
【産業上の利用可能性】
【００２２】
本考案は、寝袋として用いられる。  
【符号の説明】
【００２３】
１・・・・寝袋１
１１・・・断熱シート
１１a・・・アルミ箔シート
１１b・・・発泡ウレタンフォーム（裏打ち材）
１２・・・寝袋１の断熱シート上側
１３・・・寝袋１の断熱シート下側
１４・・・ファスナー
１５・・・チューブ
１５a・・・貯留部
１６・・・注入孔
Ａ・・・・空気
７・・・紐
８・・・接合部
２・・・・寝袋２  
２１・・・断熱シート
２１a・・・アルミ箔シート
２１b・・・不織布（裏打ち材）
２２・・・寝袋２の断熱シート上側
２３・・・寝袋２の断熱シート下側
２５・・・チューブ
２５a、２５b、２５c・・・貯留部
２６a、２６ｂ、２６c・・・注入口
Ｗ・・・・・水
【図１】
0003178477.tif 000003
【図２】
0003178477.tif 000004
【図３】
0003178477.tif 000005
【図４】
0003178477.tif 000006
【図５】
0003178477.tif 000007
【図６】
0003178477.tif 000008
【図７】
0003178477.tif 000009
【図８】
0003178477.tif 000010
【手続補正書】
【提出日】平成24年6月27日(2012.6.27)
【手続補正１】
【補正対象書類名】実用新案登録請求の範囲
【補正対象項目名】請求項１
【補正方法】変更
【補正の内容】
【請求項１】
外側が厚さ５〜２００μｍのアルミ箔シートに厚さ０．５〜２０ｍｍのウレタンマットあるいは厚さ０．２〜３ｍｍの布で裏打ち加工された断熱シートを上側及び下側シートとし、下側シートの更に下部に空気で膨らませる事が可能な直径３〜６０ｍｍの半円柱形あるいは円柱形のチューブを設け、該チューブに対して外側から１ヶ所又は２ヶ所の注入孔で接続し、上側シートの中央部をファスナーで開閉することを特徴とする寝袋。